(57)【特許請求の範囲】
【請求項１】
弾性変形可能な透明合成樹脂製で共同してカードを保持する表板と裏板とが上縁で連設され、表板の下縁両側にそれぞれ固定片が上向きに連設されたカードケースであって、
前記裏板の下端部をカードケース受けに形成されたスリットに挿入すると共に、前記固定片をカードケース受けの裏面側に配設することによりカードケースをカード受けに装着するようにした、ＰＯＰ用カードケース
【請求項２】
裏板の下縁両側にはそれぞれ位置保持片が上向きに連接され、両位置保持片の間隔はカードケース受けの幅より僅かに広くした、請求項１記載のＰＯＰ用カードケース
【請求項３】
両固定片の間隔は、カードケース受けの裏面に設けられた固定部の幅よりも僅かに広くした、請求項１又は２に記載のＰＯＰ用カードケース
【請求項４】
表板の下縁と固定片との間にマチが設けられた、請求項１ないし３の何れかに記載のＰＯＰ用カードケース
【発明の詳細な説明】
【０００１】
【産業上の利用分野】
この発明は、小売店で袋入り商品などを吊して陳列・販売する際に用いるフックバーに取り付けられたカードケース受けに、商品の説明や価格などを表示したいわゆるＰＯＰカードを装着するために用いる、ＰＯＰ用カードケースに関するものである。
【０００２】
【従来の技術】
小売店で袋入り商品等を吊して陳列・販売するときには、図１に示すフックバー１が使用されている。このフックバー１は、上方のメインバー１１と下方の吊り下げバー１２とを有し、メインバー１１の先端には固定部１３を介してカードケース受け１４が取り付けてあり、このカードケース受け１４にＰＯＰ用カードケースを装着するようになっている。
前記カードケース受け１４は、合成樹脂製であって表板１５と裏板１６を有し、表板１５と裏板１６との間にカードケースを差し込むスリット１７が形成されたものである。
【０００３】
従来のＰＯＰ用カードケース２は、図１に示すように、共同してカードを保持する表板２１と裏板２２をこれらの下縁で連設し、表板２１の上縁を下向きに折り返して挿入片２３とし、裏板２２の上縁をした向きに折り返して保持片２４とした構成であり、前記挿入片２３をカードケース受け１４のスリット１７に差し込み、保持片２４をカードケース受け１４の表板１６に弾性的に当接させて、カードケース受け１４にカードケース２を装着するようにしたものである。
【０００４】
【発明が解決しようとする課題】
上記従来のカードケース２においては、以下のような問題点があった。
第一に、カードケース２をカードケース受け１４に装着したとき、カードケース２の下部はカードケース受け１４の下方に突出した状態となる。そのために、吊り下げバー１２に吊り下げられた商品４の上部がカードケースに当たりやすく、商品を取りにくく、また商品を取るときにカードケースがカードケース受けから外れることもあった。
第二に、横方向の移動及び傾斜を阻止するための構造が存在しないので、使用中に横にずれたり傾いたりしてしまい、整然とした状態を保持するためには随時店員が点検しなければならなかった。
【０００５】
【課題を解決するための手段】
この発明のＰＯＰ用カードケースは、弾性変形可能な透明合成樹脂製で、共同してカードを保持する表板と裏板とを上縁で連設し、表板の下縁両側にそれぞれ固定片を上向きに連設して構成する。そして、前記裏板の下端部をカードケース受けに形成されたスリットに挿入すると共に、前記固定片をカードケース受けの裏面側に配設することによりカードケースをカード受けに装着するようにする。請求項２の発明は、裏板の下縁両側にはそれぞれ位置保持片を上向きに連接し、両位置保持片の間隔をカードケース受けの幅より僅かに広くしたもの、請求項３の発明は、両固定片の間隔をカードケース受けの裏面に設けられた固定部の幅よりも僅かに広くしたもの、請求項４の発明は、表板の下縁と固定片との間にマチを設けたものである。
【０００６】
【作用】
この発明のＰＯＰ用カードケースは、裏板の下部をカードケース受けのスリットに差し込んで使用するものであるから、カードケースはカードケース受けの上方に取り付けられることとなる。したがって、カードケースが吊された商品と衝突することはなく、商品取り出しの際の支障になることはなく、第一の課題が解決される。また、カードケース受けのスリットに裏板が挿入されると共にカードケース受けの下縁が固定片に囲われるので、カードケースの傾斜が阻止される。請求項２の発明においては、２つの位置保持片の間隔をカードケース受けの幅に対応させたので、位置保持片によってカードケースの横方向の移動が阻止される。また請求項３の発明においては２つの固定片の位置をカードケース受けの固定部の幅に対応させたので、固定片によってカードケースの横方向の移動が阻止される。そして、請求項４の発明は表板にマチを設けたので、カードケース受けへの装着状態が安定する。
【０００７】
【発明の実施の形態】
この発明のＰＯＰカードケース３を示す図２において、弾性変形可能な透明合成樹脂シートにより、長方形の表板３１と裏板３２とが上縁において連設するように山折り成形してあり、前記表板３１の下縁にマチ３３を介して固定片３４が上向きに連設してある。この固定片３４は表板３１の両側に設けてあり、両固定片３４の間隔はフックバー１のカードケース受け１４の幅よりも狭くしてある。また、前記マチ３３の幅はカードケース受け１４の厚さよりも僅かに大きいものとしてある。
前記裏板３２の下縁両側には位置保持片３５が斜め上向きに連設してあり、両側の位置保持片３５の間隔は前記カードケース受け１４の幅よりも僅かに大きくしてある。
【０００８】
以上のように構成されたＰＯＰカードケース３の使用方法は以下の通りである。
まず表板３１にＰＯＰカードを入れてマチ３３で保持する。次いで、裏板３２の下部をカードケース受け１４のスリット１７に差し込み、その後表板３１の固定片３４を前記位置保持片３５に係止させる。
【０００９】
上記において、２つの位置保持片３５の間隔をカードケース受け１４の幅よりも僅かに大きくしてある。そして位置保持片３５は斜め上向きに形成してあるので、カードケース３が横方向に移動しようとすると、位置保持片３５がカードケース受けに当たり、移動が阻止される。したがって、カードケースの横方向の移動が規制される。
また、スリット１７に差し込まれた裏板３２の下縁と、カードケース受け１４の下方に位置する表板３１のマチ３３でカードケース受け１４は挟みこまれている。したがって、カードケース３の傾動は阻止されるので、カードケースの傾斜方向の移動が規制される。
したがって、この実施形態のカードケースによれば、ＰＯＰカードが商品の上方に見やすく設置でき、商品の取り出しの邪魔にならない他、横移動、傾斜移動が阻止されるので常時整然とした状態でＰＯＰカードを展示することができる。また、マチ３３を設けたので固定片３４を位置保持片３５に無理なく係止することができ、取り付け状態が安定するが、マチ３３は必須ではない。
【００１０】
図６は２つの固定片３４の間隔をカードケース受け１４の取付部１３の幅よりも僅かに大きくしたものである。このような寸法にすることにより固定片３４と取付部１３とが当たることにより、カードケース３の横移動を阻止することができる。この態様においては位置保持片３５は設けなくともよい。
【００１１】
【発明の効果】
この発明によれば、ＰＯＰ用カードケースをフックバーのカードケース受けなどに取り付けに際し、商品の邪魔にならずに取り付けることができ、加えて取り付けられたカードケースが横方向にずれたり傾いたりすることを可及的に防止することができる。したがって、常時整然とした状態でＰＯＰカードを展示することができ、商品の陳列環境を向上させることができる。
また、整然とした状態が保持されるので、店員による点検・保守作業も軽減される。
【図面の簡単な説明】
【図１】  従来のＰＯＰカードケース及びフックバーの斜視図
【図２】  この発明の実施形態の斜視図
【図３】  この発明の実施形態のカードケースをカードケース受けに装着した状態の側面図
【図４】  この発明の実施形態の位置保持片とカードケース受けの関係を示す背面図
【図５】  この発明の実施形態の固定片とカードケース受けの関係を示す背面図
【図６】  この発明の別の実施形態の固定片とカードケース受けの関係を示す背面図
【符号の説明】
１    フックバー
１１  メインバー
１２  吊り下げバー
１３  固定部
１４  カードケース受け
１５  表板
１６  裏板
１７  スリット
２    カードケース
２１  表板
２２  裏板
２３  挿入片
２４  保持片
３    カードケース
３１  表板
３２  裏板
３３  マチ
３４  固定片
３５  位置保持片
４    商品
【図１】
0003672890.tif 000002
【図２】
0003672890.tif 000003
【図３】
0003672890.tif 000004
【図４】
0003672890.tif 000005
【図５】
0003672890.tif 000006
【図６】
0003672890.tif 000007